(57)【要約】  ゴルフクラブについて詳細な情報とゴルフクラブセッティングに関する情報が容易に管理できるゴルフクラブ管理システムを提供する。  ゴルフバッグ表示制御部５４は、ユーザが指定したゴルフバッグに収納されているゴルフクラブをゴルフバッグ構成情報テーブル５８ｂから求め、さらに、各ゴルフクラブについて、ゴルフクラブ情報テーブル５８ａからどのタイプグループに属するかを判定する。次に、ゴルフバッグに収納されたゴルフクラブのタイプがどのようなタイプグループに分布するかを判定し、この分布パターンに応じて、各ゴルフクラブのヘッド部イメージを表示装置のどの位置に表示するかを決定する。ヘッド部イメージは、ゴルフクラブ情報テーブル５８ａから得られるヘッド画像データ名により取得されたヘッド画像を元に生成される。
2012091103.tif 000002
【特許請求の範囲】
【請求項１】
ゴルフクラブのタイプをゴルフクラブごとに記憶するとともに、ゴルフクラブのヘッド画像を記憶する記憶手段と、
前記ゴルフクラブを、当該ゴルフクラブの前記ヘッド画像または他のゴルフクラブの前記ヘッド画像と対応付けて管理するゴルフクラブ管理手段と、
表示対象である複数のゴルフクラブのそれぞれに対応付けられた前記ヘッド画像を、表示装置に表示するよう制御する表示制御手段を有し、
前記表示制御手段は、それぞれ１つ以上の前記タイプが属するタイプグループのそれぞれに、前記表示対象である複数のゴルフクラブがいくつ属するかを表すタイプグループ分布パターンに基づいて、前記ヘッド画像の表示位置を決定することを特徴とする情報端末。
【請求項２】
前記記憶手段には、ゴルフバッグにどのゴルフクラブが属するかを示す情報が記憶され、
前記表示制御手段は、ユーザまたは所定の条件により特定されたゴルフバッグに属するゴルフクラブを表示対象として決定することを特徴とする請求項１に記載の情報端末。
【請求項３】
前記記憶手段には、前記ゴルフクラブごとに、前記ゴルフクラブの他の情報が記憶され、
前記表示装置に表示された前記ヘッド画像は、ユーザによって選択可能であり、
前記表示制御手段は、前記ヘッド画像の１つが選択された場合に、前記ヘッド画像に対応するゴルフクラブの前記他の情報の少なくとも一部を前記表示装置に表示することを特徴とする請求項１に記載の情報端末。
【請求項４】
前記表示制御手段は、同じタイプグループに属する前記ゴルフクラブのヘッド画像を互いに近接または重複させて、タイプグループごとにひとまとまりの画像グループで前記表示装置に表示することを特徴とする請求項１に記載の情報端末。
【請求項５】
前記画像グループの表示位置は、対応するタイプグループに応じてその高さが決定され、
（Ａ）高い位置に表示されると決定された画像グループの上端は、低い位置に表示されると決定された画像グループの上端より高い位置になるような関係、および、
（Ｂ）高い位置に表示されると決定された画像グループの下端は、低い位置に表示されると決定された画像グループの下端より高い位置になるような関係の、少なくともいずれかを満たすように調整されることを特徴とする請求項４に記載の情報端末。
【請求項６】
前記記憶手段には、ゴルフクラブに当該ゴルフクラブのクラブ長が記憶され、
前記表示制御手段は、前記画像グループごとに、画像グループに含まれるヘッド画像に対応するゴルフクラブの前記クラブ長を比較し、前記画像グループ内におけるそれぞれのヘッド画像の表示位置を、前記クラブ長が長いものほど高い位置になるよう調整することを特徴とする請求項５に記載の情報端末。
【請求項７】
外部ネットワークに接続してデータの送受信を制御する通信制御手段をさらに有し、
前記ゴルフクラブ管理手段が、ユーザの指示に応じて、前記ゴルフクラブのタイプおよび前記ゴルフクラブのヘッド画像の少なくとも一方を、前記外部ネットワークを経由して所定のサーバから取得することを特徴とする請求項１に記載の情報端末。
【請求項８】
情報を表示する表示装置と、ゴルフクラブのタイプをゴルフクラブごとに記憶するとともに、ゴルフクラブのヘッド画像を記憶した記憶手段を備えた情報端末において、
前記ゴルフクラブを、当該ゴルフクラブの前記ヘッド画像または他のゴルフクラブの前記ヘッド画像と対応付けて管理するゴルフクラブ管理ステップと、
表示対象である複数のゴルフクラブのそれぞれに対応付けられた前記ヘッド画像を、前記表示装置に表示するよう制御する表示制御ステップを有し、
前記表示制御ステップは、それぞれ１つ以上の前記タイプが属するタイプグループのそれぞれに、前記表示対象である複数のゴルフクラブがいくつ属するかを表すタイプグループ分布パターンに基づいて、前記ヘッド画像の表示位置を決定することを特徴とするゴルフクラブ管理方法。
【請求項９】
前記記憶手段には、ゴルフバッグにどのゴルフクラブが属するかを示す情報が記憶され、
前記表示制御ステップは、ユーザまたは所定の条件により特定されたゴルフバッグに属するゴルフクラブを表示対象として決定することを特徴とする請求項８に記載のゴルフクラブ管理方法。
【請求項１０】
情報を表示する表示装置と、ゴルフクラブのタイプをゴルフクラブごとに記憶するとともに、ゴルフクラブのヘッド画像を記憶した記憶手段を備えた情報端末に、
前記ゴルフクラブを、当該ゴルフクラブの前記ヘッド画像または他のゴルフクラブの前記ヘッド画像と対応付けて管理するゴルフクラブ管理手段、および、
表示対象である複数のゴルフクラブのそれぞれに対応付けられた前記ヘッド画像を、前記表示装置に表示するよう制御する表示制御手段として機能させるためのプログラムであって、
前記表示制御手段は、それぞれ１つ以上の前記タイプが属するタイプグループのそれぞれに、前記表示対象である複数のゴルフクラブがいくつ属するかを表すタイプグループ分布パターンに基づいて、前記ヘッド画像の表示位置を決定することを特徴とするプログラム。
【請求項１１】
前記記憶手段には、ゴルフバッグにどのゴルフクラブが属するかを示す情報が記憶され、
前記表示制御手段は、ユーザまたは所定の条件により特定されたゴルフバッグに属するゴルフクラブを表示対象として決定することを特徴とする請求項１０に記載のプログラム。
【発明の詳細な説明】
【技術分野】
【０００１】
この発明は、ゴルフバッグに収納されるゴルフクラブに関する情報を管理・表示するための情報端末に関する。
【背景技術】
【０００２】
ゴルフは、全世界で愛されているスポーツであり、競技人口も多い。プロトーナメントも盛んであるが、多くのアマチュアゴルファーが頻繁にゴルフ練習場に通い、ゴルフコースでの競技を楽しんでいる。また近年、日本では、若いプロゴルファーの活躍もあって、ゴルフ人気は一層の高まりを見せている。【０００３】
ゴルフは、複数のゴルフクラブを使い分けてゴルフボールを打ち、何回でそのゴルフボールを穴（ホール）に入れられるかを競うゲームである。ゴルフクラブには、打球の飛距離や角度、ボールの位置、ゲームの状況などに応じて様々な種類がある。大きな分類では、たとえば、ドライバー、フェアウエイウッド、ユーティリティー（ハイブリッド）、アイアン、ウエッジ、パターなどがある。【０００４】
ドライバーとフェアウエイウッドは、ウッドと呼ばれるゴルフクラブの仲間であり、１番ウッド（１Ｗ）をドライバー、それ以外のウッドをフェアウエイウッドと呼ぶ。ドライバーは通常、第一打目にティーグラウンドで用いられるゴルフクラブであり、最もシャフトが長く、ボールを遠くに飛ばすことができる。パターは、一般的にはグリーン上で使用するゴルフクラブであり、グリーン上のボールをカップインさせる際に、正確なコントロールでボールを打つために用いられる。上記のウッドからパターの間に、フェアウエイウッド、ユーティリティー、アイアン、ウエッジなどのゴルフクラブがあり、一般的には、ウッドからウエッジにかけて、シャフト長が短くなるとともにロフト角が大きくなっていく。【０００５】
このように、ゴルフクラブは、種類によって特性が異なっており、ゴルファーは、カップまでの距離やボールの置かれた状況に応じて、使用するゴルフクラブをこれらのなかから選択する。また、１つの種類のゴルフクラブ、たとえば「ドライバー」という種類のゴルフクラブだけでも多くのメーカーから非常に多くのものが販売されており、それぞれシャフト長やロフト角などの特性が異なっている。ゴルファーは、このような多くのゴルフクラブの中から、自身の打法、習熟度、相性などを考慮に入れて、自分にあったゴルフクラブを選択することが重要となる。【０００６】
また、ゴルファーは、ゴルフコースをラウンドするときに、複数のゴルフクラブをゴルフバッグ（キャディーバッグ、ゴルフセットとも呼ばれる）に収納して持ち運ぶことになるが、公式競技のルールでは、１４本までの使用しか認められていないため、ゴルフバッグに収納するゴルフクラブを一層慎重に選択する必要がある。まず、どの種類のゴルフクラブを収納するかという選択がある。たとえば、ドライバー１本、フェアウエイウッド２本（３Ｗ、５Ｗ）、ユーティリティー１本（２Ｈ）、アイアン８本（３ｉ〜９ｉ、ＰＷ）、ウエッジ１本（ＳＷ）、パター１本の計１４本を選択するというパターンが考えられる。さらに、このパターンから、ドライバーを削除して、フェアウエイウッドを１本追加するなど、様々なパターンが考えられる。このような選択は、一般的にゴルフクラブセッティングまたはクラブセッティングと呼ばれる。【０００７】
次に、それぞれのゴルフクラブをどのメーカー（ブランド）の、どのモデルにするかという選択がある。また、プロゴルファーをはじめとする一部のゴルファーは、ゴルフクラブの特性を自身で設定して改造を施したり、メーカーに特注したりすることにより、自身に最適なゴルフクラブをチューンナップすることもある。さらに、ヘッドとシャフトの組み合わせを変え、グリップを交換するといったことも多い。【０００８】
したがって、ゴルファーは、ゴルフクラブセッティングについて、状況に応じた様々なパターンを記憶し、所持しているゴルフクラブのそれぞれについて、多岐にわたる情報を記憶するとともに、これらの情報を適宜、表示・更新できるように管理する必要がある。また、プロゴルファーや他のゴルファーのゴルフクラブセッティングがどのようなものであるかといった第三者のセッティング内容や、所持しているゴルフクラブ以外の情報を入手し、表示させたいというニーズもある。【０００９】
上述したようなゴルフクラブの管理を支援するために、特許文献１に開示されたゴルフクラブ情報提供システムでは、（ゴルフクラブの購入に際して）スイングを行った顧客に固有の登録情報と、そのスイングに適したクラブの設計仕様とを関連付けて記憶・管理するとともに、その顧客が現在使用しているゴルフクラブを記憶し管理する機能を提供する。
【先行技術文献】
【特許文献】
【００１０】
【特許文献１】特開２００６−２４７０２３号公報
【発明の概要】
【発明が解決しようとする課題】
【００１１】
しかしながら、特許文献１のようなゴルフクラブ情報提供システムでは、管理されるゴルフクラブの情報はモデル番号のみであり、さらに管理対象も、ドライバー、フェアウエイウッド、アイアン、パターでそれぞれ１本ずつの計４本しかない。【００１２】
したがって、このようなシステムでは、数多くのゴルフクラブについての詳細な情報を管理することができず、その結果として、当然ゴルフクラブセッティングの管理をすることもできない。【００１３】
また、上記システムでは、ゴルフクラブに関する情報をユーザ、すなわち、ゴルフクラブの所有者が入力できる仕組みが用意されていない。さらに、ゴルフクラブに関する詳細な情報やゴルフクラブセッティングに関する情報が、メーカーを含む第三者から提供されるようなこともありえない。【００１４】
さらに、特許文献１のゴルフクラブ情報提供システムでは、ゴルフクラブに関する情報がグラフィカルに表示されるようなことは一切なく、ユーザがグラフィカルにゴルフクラブに関する情報を把握することができない。【００１５】
また、特許文献１のゴルフクラブ情報提供システムは、ゴルフクラブの販売促進を目的としたものであり、ゴルフクラブの試打を行った場所で情報提供が行われるにすぎない。したがって、ゴルファーは、このようなゴルフクラブの情報提供が行われる場所や状況が限られてしまうことになる。【００１６】
したがって、本発明の目的は、ゴルフクラブについて詳細な情報とゴルフクラブセッティングに関する情報を容易に管理できる情報端末を提供することにある。【００１７】
また、本発明のさらなる目的は、ゴルフクラブに関する情報とゴルフクラブセッティングに関する情報を、ゴルフクラブの所有者であるユーザが随時、自由に入力できる仕組みを有する情報端末を提供することにある。さらに、本発明の目的は、ゴルフクラブに関する情報およびゴルフクラブセッティングに関する情報を、第三者から取得できる情報端末を提供することにある。【００１８】
また、本発明の目的は、ゴルフクラブに関する情報やゴルフクラブセッティングに関する情報が、グラフィカルに表示される情報端末を提供することにある。さらに、本発明の目的は、ゴルフクラブに関する情報やゴルフクラブセッティングに関する情報が、携帯機器によって管理され、ユーザがどこにいても情報の閲覧・更新を行うことができる情報端末を提供することにある。
【課題を解決するための手段】
【００１９】
本発明の第１の実施態様は、ゴルフクラブのタイプをゴルフクラブごとに記憶するとともに、ゴルフクラブのヘッド画像を記憶する記憶手段と、ゴルフクラブを、当該ゴルフクラブのヘッド画像または他のゴルフクラブのヘッド画像と対応付けて管理するゴルフクラブ管理手段と、表示対象である複数のゴルフクラブのそれぞれに対応付けられたヘッド画像を、表示装置に表示するよう制御する表示制御手段を有する情報端末であり、表示制御手段が、それぞれ１つ以上のタイプが属するタイプグループのそれぞれに、表示対象である複数のゴルフクラブがいくつ属するかを表すタイプグループ分布パターンに基づいて、ヘッド画像の表示位置を決定するように構成される。このような情報端末の構成によって、複数のゴルフクラブによるゴルフクラブセッティングがグラフィカルにかつ、各ゴルフクラブがゴルフバッグに収納されているような態様で表示される。【００２０】
本発明の第２の実施態様は、第１の実施態様において、記憶手段には、ゴルフバッグにどのゴルフクラブが属するかを示す情報が記憶され、表示制御手段は、ユーザまたは所定の条件により特定されたゴルフバッグに属するゴルフクラブを表示対象として決定するように構成される情報端末である。このような情報端末の構成によって、特定のゴルフバッグに収納されるゴルフクラブがグラフィカルにかつ、各ゴルフクラブがゴルフバッグに収納されているような態様で表示される。【００２１】
本発明の第３の実施態様は、第１の実施態様において、記憶手段には、ゴルフクラブごとに、ゴルフクラブの他の情報が記憶され、表示装置に表示されたヘッド画像は、ユーザによって選択可能であり、表示制御手段が、ヘッド画像の１つが選択された場合に、ヘッド画像に対応するゴルフクラブの他の情報の少なくとも一部を表示装置に表示するように構成された情報端末である。このような情報端末の構成によって、ゴルフクラブについて詳細な情報およびゴルフクラブセッティングに関する情報が容易に管理できる。【００２２】
本発明の第４の実施態様は、第１の実施態様において、表示制御手段が、同じタイプグループに属するゴルフクラブのヘッド画像を互いに近接または重複させて、タイプグループごとにひとまとまりの画像グループで表示装置に表示するように構成された情報端末である。【００２３】
本発明の第５の実施態様は、第４の実施態様において、画像グループの表示位置は、対応するタイプグループに応じてその高さが決定され、（Ａ）高い位置に表示されると決定された画像グループの上端は、低い位置に表示されると決定された画像グループの上端より高い位置になるような関係、および、（Ｂ）高い位置に表示されると決定された画像グループの下端は、低い位置に表示されると決定された画像グループの下端より高い位置になるような関係の、少なくともいずれかを満たすように調整されるように構成された情報端末である。【００２４】
本発明の第６の実施態様は、第５の実施態様において、記憶手段には、ゴルフクラブに当該ゴルフクラブのクラブ長が記憶され、表示制御手段が、画像グループごとに、画像グループに含まれるヘッド画像に対応するゴルフクラブのクラブ長を比較し、画像グループ内におけるそれぞれのヘッド画像の表示位置を、クラブ長が長いものほど高い位置になるよう調整するように構成された情報端末である。【００２５】
本発明の第７の実施態様は、第１の実施態様において、外部ネットワークに接続してデータの送受信を制御する通信制御手段をさらに有し、ゴルフクラブ管理手段が、ユーザの指示に応じて、ゴルフクラブのタイプおよびゴルフクラブのヘッド画像の少なくとも一方を、外部ネットワークを経由して所定のサーバから取得するように構成された情報端末である。【００２６】
本発明の第８の実施態様は、情報を表示する表示装置と、ゴルフクラブのタイプをゴルフクラブごとに記憶するとともに、ゴルフクラブのヘッド画像を記憶した記憶手段を備えた情報端末において、ゴルフクラブを、当該ゴルフクラブのヘッド画像または他のゴルフクラブのヘッド画像と対応付けて管理するゴルフクラブ管理ステップと、表示対象である複数のゴルフクラブのそれぞれに対応付けられたヘッド画像を、表示装置に表示するよう制御する表示制御ステップを有するゴルフクラブ管理方法であり、表示制御ステップが、それぞれ１つ以上のタイプが属するタイプグループのそれぞれに、表示対象である複数のゴルフクラブがいくつ属するかを表すタイプグループ分布パターンに基づいて、ヘッド画像の表示位置を決定するよう構成される。【００２７】
本発明の第９の実施態様は、第８の実施態様において、記憶手段には、ゴルフバッグにどのゴルフクラブが属するかを示す情報が記憶され、表示制御ステップが、ユーザまたは所定の条件により特定されたゴルフバッグに属するゴルフクラブを表示対象として決定するように構成されたゴルフクラブ管理方法である。【００２８】
本発明の第１０の実施態様は、情報を表示する表示装置と、ゴルフクラブのタイプをゴルフクラブごとに記憶するとともに、ゴルフクラブのヘッド画像を記憶した記憶手段を備えた情報端末に、ゴルフクラブを、当該ゴルフクラブのヘッド画像または他のゴルフクラブのヘッド画像と対応付けて管理するゴルフクラブ管理手段、および、表示対象である複数のゴルフクラブのそれぞれに対応付けられたヘッド画像を、表示装置に表示するよう制御する表示制御手段として機能させるためのプログラムであり、表示制御手段が、それぞれ１つ以上のタイプが属するタイプグループのそれぞれに、表示対象である複数のゴルフクラブがいくつ属するかを表すタイプグループ分布パターンに基づいて、ヘッド画像の表示位置を決定するように構成される。【００２９】
本発明の第１１の実施態様は、第１０の実施態様において、記憶手段には、ゴルフバッグにどのゴルフクラブが属するかを示す情報が記憶され、表示制御手段が、ユーザまたは所定の条件により特定されたゴルフバッグに属するゴルフクラブを表示対象として決定するように構成されたプログラムである。
【発明の効果】
【００３０】
本発明に係る情報端末によって、ゴルフクラブについて詳細な情報およびゴルフクラブセッティングに関する情報が容易に管理できる。また、ゴルフクラブに関する情報とゴルフクラブセッティングに関する情報を、ゴルフクラブの所有者であるユーザが随時自由に入力でき、さらに第三者からこれらの情報を取得することができる。【００３１】
また、本発明に係る情報端末によって、ゴルフクラブに関する情報やゴルフクラブセッティングに関する情報が、グラフィカルに表示される。さらに、ゴルフクラブの情報等が携帯機器によって管理される場合は、ユーザが場所を問わずに当該情報の閲覧や更新を行うことができる。
【図面の簡単な説明】
【００３２】
【図１】本発明に係る情報端末を含むゴルフクラブ管理システムの概要を示す略線図である。
【図２】本発明の一実施形態に係るゴルフクラブ管理システムの機能ブロック図である。
【図３】本発明の一実施形態に係るゴルフクラブ管理システムで使用されるデータベースの例を示す略線図である。
【図４】本発明の一実施形態に係るゴルフクラブ管理システムで表示されるゴルフバッグ表示画面の例を示す略線図である。
【図５】本発明の一実施形態に係るゴルフクラブ管理システムで表示されるゴルフバッグ管理画面の例を示す略線図である。
【図６】本発明の一実施形態に係るゴルフクラブ管理システムで表示されるゴルフクラブ選択画面の例を示す略線図である。
【図７】本発明の一実施形態に係るゴルフクラブ管理システムで表示されるゴルフクラブ情報表示画面の例を示す略線図である。
【図８】本発明の一実施形態に係るゴルフクラブ管理システムで表示されるゴルフクラブ詳細情報登録画面の例を示す略線図である。
【図９】本発明の一実施形態に係るゴルフクラブ管理システムで使用されるタイプグループテーブルの例を示す略線図である。
【図１０】本発明の一実施形態に係るゴルフクラブ管理システムで行われるゴルフバッグ表示制御の例を示す略線図である。
【図１１】本発明の一実施形態に係るゴルフクラブ管理システムで行われるゴルフバッグ表示制御の例についての処理フローを示すフローチャートである。
【図１２】本発明に係る情報端末（コンピュータ）のハードウエア構成の例を示す略線図である。
【符号の説明】
【００３３】
１      ゴルフクラブ管理システム
１０      管理サーバ
２０      記憶装置
３０      ネットワーク
４０      携帯電話網
５０      情報端末
７１      スマートフォン
７２      ＰＣ
８１      ゴルフクラブ情報
８２      ヘッド画像データ
８３      ゴルフバッグ構成情報
【発明を実施するための最良の形態】
【００３４】
本発明に係る情報端末を含むゴルフクラブ管理システムは、ゴルフクラブに関する情報を管理するとともに、ゴルフバッグに収納するゴルフクラブをどのように選択するか（すなわち、ゴルフクラブセッティング）に関する情報を管理する。さらに、ゴルフクラブ管理システムは、ゴルフバッグに収納するものとして選択されたゴルフクラブのヘッド部分を含む画像が、ゴルフバッグに収納されているような態様・位置関係で表示装置に表示される。【００３５】
最初に、本発明の一実施形態に係るゴルフクラブ管理システム１の概要を、図１を参照して説明する。ゴルフクラブ管理システム１は、管理サーバ１０および情報端末５０を含んでおり、管理サーバ１０は、ゴルフクラブ管理システム１の管理・運営等を行う企業・団体が提供するサーバであり、ネットワーク３０を介して情報端末５０に接続される。ここで、ネットワーク３０は、たとえば通信プロトコルＩＰを利用したインターネットのようなネットワークであるが、これに限られるものではなく、他のプロトコルを利用したネットワークや専用回線などを含む他のネットワーク、およびこれらの回線とインターネットとの組み合わせにより構築される様々なネットワークを含む。また、ゴルフクラブ管理システム１は、情報端末５０のみによって（すなわち、情報端末５０のスタンドアローンシステムとして）構成されることが可能である。【００３６】
情報端末５０は、たとえば、スマートフォン７１やＰＣ（パーソナルコンピュータ）７２などの電子機器である。スマートフォン７１は、携帯電話と携帯情報端末（ＰＤＡ）の機能を有する携帯型情報端末であるが、情報端末５０としては、このほかに、携帯電話、ＰＤＡ、電子書籍端末など、様々な携帯型情報端末が利用可能である。図１に示すように、スマートフォン７１は、携帯電話網４０およびネットワーク３０を介して管理サーバ１０に接続されるが、たとえば、無線ＬＡＮのような、携帯電話網４０以外のネットワークを介して管理サーバ１０に接続することもできる。【００３７】
情報端末５０は、図１に示すように、ヘッド画像データ８２を含むゴルフクラブ情報８１、およびゴルフバッグをどのようなゴルフクラブで構成するかを示すゴルフバッグ構成情報８３を、ユーザ入力等によって取得し、記憶装置に記憶する。ここで、ヘッド画像データ８２は、ゴルフクラブのヘッド部分の外観を撮影した静止画または動画であり、後述するように、情報端末５０の記憶装置内のヘッド画像データ５８ｄに記憶される。表示対象となったゴルフクラブに対応付けられたヘッド画像データは、ヘッド画像として情報端末５０の表示装置に表示される。【００３８】
また、管理サーバ１０が備える記憶装置２０には、ゴルフクラブ情報テーブル２１、ゴルフバッグ構成情報テーブル２２、およびヘッド画像データ２３が記憶されており、ユーザは、所定の操作により、この記憶装置２０の上記データを、情報端末５０の記憶装置にダウンロードすることができる。また、記憶装置２０は、ネットワーク３０を介してアクセスが可能である限り、管理サーバ１０とは異なるサイトに配置されていてもよい。【００３９】
また、図１では、記憶装置２０に、あらかじめ用意された、ゴルフクラブに関する情報が記憶されているが、ゴルフクラブやゴルフバッグのメーカーなどの、ゴルフに関する企業・団体などのサーバから直接（または管理サーバ１０経由で）、情報端末５０に対して当該情報が提供されるように構成してもよい。【００４０】
次に、図２の機能ブロック図を参照して、情報端末５０および管理サーバ１０の各機能についての概要を説明する。最初に、情報端末５０の各機能について説明する。情報端末５０は、通信制御部５１、ゴルフクラブ管理部５２、ゴルフバッグ管理部５３、ゴルフバッグ表示制御部５４、入力制御部５５、および画像撮像制御部５６の各機能部を備える。また、フラッシュメモリやハードディスク等からなる記憶装置５８には、ゴルフクラブ情報テーブル５８ａ、ゴルフバッグ構成情報テーブル５８ｂ、タイプグループテーブル５８ｃ、およびヘッド画像データ５８ｄが記憶される。【００４１】
通信制御部５１は、後述する管理サーバ１０の通信制御部１３との間で、ネットワーク３０や携帯電話網４０を介して、ゴルフクラブ情報などのデータの送受信を制御する。情報端末５０がスタンドアローンシステムとして本発明のゴルフクラブ管理システム１を実現する場合、通信制御部５１は必須の機能ではない。【００４２】
ゴルフクラブ管理部５２は、ユーザからＧＵＩ（Graphical User Interface）により登録（入力）されたゴルフクラブ情報を、ゴルフクラブ情報テーブル５８ａに記憶するとともに、ユーザからの指示に応じて、これらのゴルフクラブ情報を情報端末５０の表示装置上に表示する。ゴルフクラブ情報としては、たとえば、図３Ａのゴルフクラブ情報テーブル５８ａに示されているように、ゴルフクラブごとに、そのゴルフクラブのタイプが記憶される。また、その他の情報として、ゴルフクラブ情報テーブル５８ａの各項目として例示されているように、本システムで個々のゴルフクラブを識別するための識別番号（ゴルフクラブＮＯ）、ヘッド情報、シャフト情報、およびクラブ情報が含まれる。ここで、ゴルフクラブの「タイプ」は、ゴルフクラブの用途および特性を表わすために一般的に使用されているもので、たとえば、[Ｄｒｉｖｅｒ]、[３Ｗ]、[１Ｈ]、[２ｉ]、[ＳＷ]、[ＰＴ]といった用語で表されうる。本明細書における説明では、タイプを表す用語の前後に便宜上、[]を表示する。【００４３】
また、ヘッド情報としては、たとえば、ヘッド画像データ名、ブランド、モデル、ロフト角など、そのゴルフクラブのヘッドに関する詳細な情報が含まれ、シャフト情報としては、ブランド、モデル、Ｆｌｅｘなど、そのゴルフクラブのシャフトに関する詳細な情報が含まれ、さらに、クラブ情報としては、クラブ長などの、そのゴルフクラブに関する詳細な情報が含まれる。なお、ヘッド画像データ名は、そのクラブに対応づけられているヘッドの画像が納められたイメージデータの名称であり、当該イメージデータはヘッド画像データ５８ｄに記憶される。表示装置に表示する場合は、この名称によりヘッド画像データ５８ｄにアクセスがされ、対応するヘッド画像が表示される。【００４４】
ヘッド画像データ５８ｄに記憶されるヘッド画像のそれぞれは、ゴルフクラブのヘッド部分の外観を撮影した静止画または動画であり、当該画像データには、少なくとも、１方向から見たゴルフクラブのヘッド部分の一部が含まれている。このヘッド画像は、撮像装置によって得られた画像データそのものであってもよいし、拡大や縮小、背景の透過など、なんらかの編集・調整処理を施された後の画像データであってもよい。また、イラストや漫画など、カメラやビデオカメラなどの撮像装置により取得された画像でなくてもよい。このヘッド画像は、特定のゴルフクラブに対応付けられ、情報端末５０の表示装置に表示される。また、こうしたヘッド画像を、後述する管理サーバ１０のヘッド画像データ２３からダウンロードしてきて、そのまま、あるいは上記編集・調整処理を施して記憶するようにしてもよい。【００４５】
また、ヘッド画像は、基本的に、その画像の撮影対象となったゴルフクラブに対応付けられるが、これとは別の、１つまたは複数のゴルフクラブに対応付けられてもよい。たとえば、アイアンなど、それぞれのゴルフクラブが、類似したヘッドを有している場合は、代表的な外観を持つゴルフクラブのヘッド画像を撮影して、それをすべてのアイアンのヘッド画像として対応付けることができる。【００４６】
また、ゴルフクラブ管理部５２は、ユーザからの指示等により、管理サーバ１０のゴルフクラブ情報テーブル２１からゴルフクラブ情報を取得し、情報端末５０のゴルフクラブ情報テーブル５８ａに取り込んだり、表示装置に表示したりすることができる。ゴルフクラブ情報テーブル２１に記憶されている内容は、図３Ａのゴルフクラブ情報テーブル５８ａとほぼ同様のものである。【００４７】
ゴルフバッグ管理部５３は、１つまたは複数のゴルフバッグを管理し、それぞれがどのようなクラブセッティングであるかを記憶する。より詳細には、ユーザからＧＵＩにより登録（入力）されたゴルフバッグ構成情報を、ゴルフバッグ構成情報テーブル５８ｂに記憶するとともに、ユーザからの指示に応じて、これらのゴルフバッグ構成情報を情報端末５０の表示装置上に表示する。ゴルフバッグ構成情報は、たとえば、図３Ｂのゴルフバッグ構成情報テーブル５８ｂの各項目として例示されているように、本システムで個々のゴルフバッグを識別するための識別番号（ゴルフバッグＮＯ）、ゴルフバッグの名称、作成日時、ゴルフクラブのタイプ（上述の[Ｄｒｉｖｅｒ]や[３Ｗ]といったタイプ）ごとのゴルフクラブＮＯが含まれる。また、たとえば、ゴルフバッグ構成情報テーブル５８ｂの各タイプに対応するエントリーには、そもそも収納しないように指定されていれば「０」が、収納すると指定されていてまだ、ゴルフクラブが指定されていない場合は、「Ｎｕｌｌ」が記憶される。このゴルフバッグ構成情報テーブル５８ｂの内容によって、それぞれのゴルフバッグが、どのようなクラブセッティングになっているか、すなわち、どのタイプのどのゴルフクラブが含まれるかが分かる。【００４８】
なお、ゴルフクラブ情報テーブル５８ａを参照することによって、ゴルフクラブＮＯから、そのゴルフクラブのタイプが分かるので、ゴルフバッグ構成情報テーブル５８ｂのように、ゴルフクラブのタイプごとに項目を持ってゴルフクラブＮＯを記憶するように構成することは必須ではないが、ここでは、事例をわかりやすく説明するために、あえてこのような構成をとっている。【００４９】
また、ゴルフバッグ管理部５３は、ユーザからの指示等により、管理サーバ１０のゴルフバッグ構成情報テーブル２２からゴルフバッグ構成情報を取得し、情報端末５０のゴルフバッグ構成情報テーブル５８ｂに取り込んだり、表示装置に表示したりすることができる（このゴルフバッグ構成情報に含まれるゴルフクラブのゴルフクラブ情報も、必要に応じて自動的にゴルフクラブ情報テーブル２１から取得される）。ゴルフバッグ構成情報テーブル２２に記憶されている内容は、図３Ｂのゴルフバッグ構成情報テーブル５８ｂとほぼ同様のものである。これによって、ユーザは、プロプレイヤーのゴルフクラブセッティングに容易に目にすることができる。【００５０】
本発明のゴルフクラブ管理システム１は、ゴルフバッグの名称にプレイヤーやトーナメントを含めるようにして、様々なゴルフバッグを管理することができる。しかし、ゴルフバッグ構成情報テーブル５８ｂに、プレイヤーやトーナメントなどの情報を含めるように構成すれば、より効果的にゴルフバッグを表示させることができる。たとえば、ユーザ自身のゴルフバッグやプロプレイヤーＴのゴルフバッグだけを表示させたり、ある年のトーナメントの各プロのゴルフバッグを表示させたりできる。【００５１】
このような場合、ユーザ自身のゴルフバッグ構成情報については、情報端末５０によってユーザ自身が入力したデータが用いられ、他のプレイヤーのゴルフバッグ構成情報については、管理サーバ１０等から提供されることが望ましい。【００５２】
ゴルフバッグ表示制御部５４は、ユーザが指定した（または、所定の条件により自動的に選択された１つまたは複数の）ゴルフバッグに収納されたゴルフクラブに対応付けられたヘッド画像を、ゴルフクラブがゴルフバッグに収納されているかのような態様・位置関係で情報端末５０の表示装置に表示する。各ヘッド画像の表示位置は、ゴルフバッグに収納されたゴルフクラブがどのタイプグループにそれぞれ何本属しているかというパターン（タイプグループ分布パターン）に応じて決定される。【００５３】
タイプグループは、前述したタイプを、さらにそのゴルフクラブの用途および特性でグルーピングしたものであり、１つのタイプグループには少なくとも１つのタイプが属する。このタイプグループは、ゴルフクラブ管理システムの設計者やユーザが適宜設定でき、たとえば、図３Ｃに示すタイプグループテーブル５８ｃによって当該グルーピングが規定される。本明細書における説明では、タイプグループを表す用語の前後に便宜上、""を表示する。またこのとき、ゴルフバッグにどのゴルフクラブが収納されているかはゴルフバッグ構成情報テーブル５８ｂから取得し、ヘッド画像などのゴルフクラブの情報は、ゴルフクラブ情報テーブル５８ａから取得する。【００５４】
また、ゴルフバッグ表示制御部５４は、ゴルフバッグに収納されたゴルフクラブを表示対象とするだけでなく、ユーザが指定した複数のゴルフクラブや、システムで所定の条件を満たすとして自動的に選択されたゴルフクラブを表示対象とすることができ、この場合も、タイプグループ分布パターンに応じて、各ヘッド画像の表示位置を制御する。【００５５】
入力制御部５５は、情報端末５０からユーザによる入力情報を取得し、この内容を関連する機能部に提供する。制御対象の入力デバイスは、ユーザが使用する情報端末５０の種類によって異なる。図２には、入出力デバイス６０として代表的な３つのパターンが例示されている。タッチスクリーン６１は、スマートフォン７１で使用される、表示と入力が一体となったデバイスであり、ここで入力デバイスに相当するのがタッチセンサー６１ｂである。タッチセンサー６１ｂは、表示デバイス（表示装置６１ａ）としても機能する液晶パネルの表面をユーザが指やスタイラス等でタッチした場合に、その位置を入力情報として入力制御部５５に送信する。【００５６】
携帯電話機用デバイス６２は、携帯電話機に多く見られる入出力デバイスであり、ＬＣＤ等からなる表示装置６２ａが表示デバイスであり、ユーザの押下に応答して入力信号を送信するボタン６２ｂが入力デバイスである。表示装置６２ａとボタン６２ｂは、１つの携帯電話機のなかに配置される。また、ＰＣ用デバイス６３は、パーソナルコンピュータに多く見られる入出力デバイスであり、ＬＣＤ等からなる表示装置６３ａが表示デバイスであり、ユーザの押下に応答して入力信号を送信するキーボード・マウス６３ｂが入力デバイスである。表示装置６３ａやキーボード・マウス６３ｂは、ＰＣ７２の本体に一体的に組み込まれる場合もあるし、別の筐体として構成されケーブルで接続されることもある。【００５７】
画像撮像制御部５６は、情報端末５０がカメラ等の撮像装置（不図示）を内蔵する場合に必要となる機能である。たとえば、ユーザがゴルフクラブのヘッドを撮影するよう指示した場合に、ゴルフクラブ管理部５２はカメラモジュールを起動する。そうすると、画像撮像制御部５６は、ユーザの指示に応じてヘッドを撮影するよう制御し、撮影された画像を所定の画像フォーマットでそのまま（または編集・調整処理の後）ヘッド画像データ５８ｄに記憶される。情報端末５０が撮像装置を内蔵していない場合、この画像撮像制御部５６は必要ない。【００５８】
次に、管理サーバ１０の各機能について説明する。管理サーバ１０は、ゴルフクラブ情報提供部１１、ゴルフバッグ構成情報提供部１２、および通信制御部１３を備える。また、管理サーバ１０の記憶装置２０には、ゴルフクラブ情報テーブル２１、ゴルフバッグ構成情報テーブル２２、およびヘッド画像データ２３が記憶される。【００５９】
ゴルフクラブ情報提供部１１は、情報端末５０でユーザが、管理サーバ１０からゴルフクラブ情報を取得するよう指示した場合に、ゴルフクラブ管理部５２の要求に応じて、指定されたゴルフクラブ情報をゴルフクラブ情報テーブル２１およびヘッド画像データ２３から取得し、ネットワーク３０を経由して情報端末５０に提供する。【００６０】
ゴルフバッグ構成情報提供部１２は、情報端末５０でユーザが、管理サーバ１０からゴルフバッグ構成情報を取得するよう指示した場合に、ゴルフバッグ管理部５３の要求に応じて、指定されたゴルフバッグ構成情報をゴルフバッグ構成情報テーブル２２から取得し、ネットワーク３０を経由して情報端末５０に提供する。【００６１】
通信制御部１３は、情報端末５０の通信制御部５１との間で、ネットワーク３０や携帯電話網４０を介して、ゴルフクラブ情報、ゴルフバッグ構成情報、ヘッド画像データといったデータの送受信を制御する。ヘッド画像データ２３に記憶されたヘッド画像は、情報端末５０にダウンロードされるが、必要な編集・調整処理を施して、ヘッド画像データ２３に記憶しておくこともできるし、ダウンロードの際に編集・調整処理を実行することもできる。【００６２】
次に、図４を参照して、本発明の一実施形態に係る情報端末５０の表示装置に示されるゴルフバッグ表示画面１１０の例について説明する。なお、図４ないし図８は、情報端末５０としてスマートフォン７１が使用されている例である。【００６３】
図４に示されているスマートフォン７１は、情報を表示するための表示装置６１ａであり、ユーザ等の接触を検知するタッチセンサー６１ｂでもあるタッチスクリーン６１、スピーカ１０１、サブカメラ１０２、およびホームボタン１０３を備える。【００６４】
ここでは、上述したゴルフバッグ表示制御部５４によって、ユーザの指定したゴルフバッグに収納されたゴルフクラブのヘッド画像が、ゴルフバッグに収納されているような態様・位置関係で表示されている。このゴルフバッグ表示画面１１０は、本発明の一実施形態に係るゴルフクラブ管理システム１のアプリケーションが起動された場合に、アプリケーション起動画面の短期間の表示の後に示される画面である。【００６５】
表示領域であるタッチスクリーン６１上に示されたゴルフバッグ表示画面１１０には、最上部にステータスバー１０４、その下にゴルフバッグ名表示部１１１、さらにその下にゴルフクラブ表示部１１２、最下部にメニュー表示部１１５が表示されている。【００６６】
ステータスバー１０４には、受信感度、現在時刻、バッテリー残量が表示され、ゴルフバッグ名表示部１１１には、ゴルフバッグの名称「ＭｙＢａｇ２」が表示されている。ゴルフクラブ表示部１１２には、このゴルフバッグ「ＭｙＢａｇ２」に収納されるものとして登録されているゴルフクラブのヘッド画像１１３が表示され、各ゴルフクラブがゴルフバッグ画像１１４に示すゴルフバッグに入っているかのような雰囲気で配置されている。これは、各ヘッド画像が、長いゴルフクラブのヘッド画像は概ね高い位置に、短いゴルフクラブのヘッド画像は低い位置にといったように自然な配置が行われているからであり、より具体的には、同じタイプグループに属するゴルフクラブのヘッド画像が、近接または重複した画像グループとしてひとまとまりに表示されているからである。【００６７】
メニュー表示部１１５には、「ゴルフバッグ表示」、「ゴルフクラブ管理」、「ゴルフバッグ管理」、「ダウンロード」、「情報」の各アイコンが表示されている。スマートフォン７１のユーザは、これらのアイコンを軽く指でたたく（タップ）することにより、そのアイコンに対応する処理の実行を指示する。ゴルフバッグ表示画面１１０は、「ゴルフバッグ表示」アイコンをタップした場合にも表示される。ゴルフバッグの指定は、図５に示すゴルフバッグ管理画面１３０で行われている。【００６８】
メニュー表示部１１５の「ダウンロード」アイコンをタップすると、管理サーバ１０の記憶装置２０に記憶されているゴルフクラブ情報テーブル２１、ゴルフバッグ構成情報テーブル２２、およびヘッド画像データ２３の内容が、ネットワーク３０を介して、情報端末５０のゴルフクラブ情報テーブル５８ａ、ゴルフバッグ構成情報テーブル５８ｂ、およびヘッド画像データ５８ｄにそれぞれコピーされる。この場合、無条件にすべてをコピーの対象にできるが、情報端末５０に存在しない情報のみ、ユーザが指定した範囲の情報のみ、情報端末５０における現在の登録内容に関連する情報のみなど、様々なコピー範囲を設定可能である。メニュー表示部１１５の「情報」アイコンをタップすると、本発明のゴルフクラブ管理システム１を情報端末５０で実現するためのプログラムのバージョン情報や問い合わせ先の情報が表示されたり、第三者に当該プログラムの紹介・推奨情報を提供するためのメールアプリケーションが起動される。【００６９】
次に、図５を参照して、本発明の一実施形態に係る情報端末５０としてのスマートフォン７１の表示装置に示されるゴルフバッグ管理画面１３０の例について説明する。ゴルフバッグ管理画面１３０は、たとえば、図４のメニュー表示部１１５の「ゴルフバッグ管理」アイコンをタップした結果、ゴルフバッグ管理部５３によって表示される。【００７０】
ゴルフバッグ管理画面１３０には、最上部にステータスバー１３１、その下にタイトル表示部１３２、さらにその下にゴルフバッグリスト表示部１３５、最下部にメニュー表示部１３９が示されている。ステータスバー１３１とメニュー表示部１３９は、図４のゴルフバッグ表示画面１１０と同様のものである。【００７１】
タイトル表示部１３２には、「ゴルフバッグ管理」のタイトルと、プラスアイコン１３３、および編集アイコン１３４が表示される。ゴルフバッグリスト表示部１３５には、すでに登録されているゴルフバッグのリスト１３６が表示される。リスト１３６の右端部には、選択指定アイコン１３７があり、これをタップすると、表示装置の表示は、図６に示すゴルフクラブ選択画面１５０に遷移し、そこで、当該ゴルフバッグにどのタイプのゴルフクラブを収納するか（関連付けるか）を指定する。【００７２】
リスト１３６の中央部または左端部をタップすると、選択済マーク１３８が表示され、この状態で、メニュー表示部１３９の「ゴルフバッグ表示」アイコンをタップすると、その選択されたゴルフバッグについて、図４のゴルフバッグ表示画面１１０が表示される。【００７３】
また、タイトル表示部１３２のプラスアイコン１３３をタップすると、新たなゴルフバッグを追加することができる。このとき、まったくゴルフクラブが収納されていない、空のゴルフバッグを追加できることはもちろん、既存の特定のゴルフバッグをコピーして新たなゴルフバッグとすることもできる。タイトル表示部１３２の編集アイコン１３４をタップすると、既存のゴルフバッグを選択して削除することができる削除画面（不図示）が表示される。【００７４】
次に、図６を参照して、本発明の一実施形態に係る情報端末５０としてのスマートフォン７１の表示装置に示されるゴルフクラブ選択画面１５０の例について説明する。ゴルフクラブ選択画面１５０は、上述したように、図５のゴルフバッグ管理画面１３０で、選択指定アイコン１３７をタップすると、対応するゴルフバッグについての当該画面が、ゴルフバッグ管理部５３によって表示される。ゴルフバッグ管理部５３は、たとえば、図３に示すタイプグループテーブル５８ｃを参照して、ゴルフクラブ選択画面１５０に表示されるタイプグループとタイプを決定する。【００７５】
ゴルフクラブ選択画面１５０には、最上部にステータスバー１５１、その下にタイトル表示部１５２、さらにその下にゴルフバッグ名表示部１５４が表示され、それ以下には、ゴルフクラブのタイプグループごとにゴルフクラブ選択指示部（１５５〜１６０）が示されている。縦長のゴルフクラブ選択画面１５０は当然、タッチスクリーン６１上の表示領域には一度に表示できないが、スマートフォン７１のユーザは、タッチスクリーン６１上をフリップする（指ではらう）ことにより、上下にスクロールして表示させることができる。ここでは、説明の便宜上、そのようにして表示されるゴルフクラブ選択画面１５０の全長を１画面として示した。なお、ゴルフクラブ選択指示部（１５６〜１５８）については、一部表示を省略している。【００７６】
タイトル表示部１５２には、「ゴルフクラブ選択」のタイトルと、完了アイコン１５３が表示される。ゴルフバッグ名表示部１５４には、対象となるゴルフバッグの名称が示されている。ゴルフクラブ選択指示部１５５では、タイプグループが"ドライバー"でタイプが[Ｄｒｉｖｅｒ]のゴルフクラブについて、使用するかしないかを選択する。右端部のチェックボックスをフリップしてオンにすれば、そのゴルフバッグに[Ｄｒｉｖｅｒ]を収納するとして管理することになり、オフにすれば収納しないことになる。【００７７】
同様に、ゴルフクラブ選択指示部１５６では、タイプグループが"フェアウエイウッド"でタイプが[２Ｗ]、[３Ｗ]、[４Ｗ]・・・のそれぞれのゴルフクラブについて、使用するかしないかを選択する。このようにして、すべてのタイプグループについて、ゴルフクラブの選択を行う。この例では、公式競技のルールにしたがって、ゴルフバッグに収納できるゴルフクラブの数は１４本までとし、それより多くの本数は選択できないようになっているが、１５本以上の選択を許容するようにしてもよい。【００７８】
なお、ゴルフクラブのタイプは、上述のように、ゴルフクラブを識別するために一般的に使用されているもので、たとえば、[Ｄｒｉｖｅｒ]、[３Ｗ]、[１Ｈ]、[２ｉ]、[ＳＷ]、[ＰＴ]といったものである。タイプグループは、上述のように、これらのタイプをグルーピングしたものである。この例では、図９Ａのタイプグループテーブル５８ｃを参照して、タイプグループ"ドライバー"にタイプ[Ｄｒｉｖｅｒ]が属し、タイプグループ"フェアウエイウッド"にタイプ[２Ｗ]〜[７Ｗ]、[９Ｗ]、[１１Ｗ]、[１３Ｗ]が属し、タイプグループ"ユーティリティー"にタイプ[１Ｈ]〜[７Ｈ]が属し、タイプグループ"アイアン"にタイプ[１ｉ]〜[９ｉ]、[ＰＷ]が属し、タイプグループ"ウエッジ"にタイプ[ＡＷ]、[ＧＷ]、[ＳＷ]、[ＬＷ]が属し、タイプグループ"パター"にタイプ[ＰＴ]が属するように設定する。【００７９】
ゴルフクラブの選択が終了したら、完了アイコン１５３をタップして、図５のゴルフバッグ管理画面１３０に戻る。このとき、ゴルフバッグ管理部５３は、ゴルフバッグ構成情報テーブル５８ｂを更新し、オフに指定されたタイプのエントリーには「０」を、オンに指定されたタイプのエントリーには「Ｎｕｌｌ」を記憶させる。【００８０】
次に、図７を参照して、本発明の一実施形態に係る情報端末５０としてのスマートフォン７１の表示装置に示されるゴルフクラブ情報表示画面１７０の例について説明する。ゴルフクラブ情報表示画面１７０は、図４のゴルフバッグ表示画面１１０や図５のゴルフバッグ管理画面１３０のメニュー表示部で「ゴルフクラブ管理」アイコンをタップすると、対応するゴルフバッグに収納されているゴルフクラブの詳細な情報がゴルフクラブ管理部５２によって表示される。ゴルフクラブ管理部５２は、このとき、ゴルフバッグ構成情報テーブル５８ｂから、指定されたゴルフバッグに登録されているゴルフクラブのゴルフクラブＮＯを取得し、その後、それぞれのゴルフクラブの情報をゴルフクラブ情報テーブル５８ａから取得し表示している。【００８１】
ゴルフクラブ情報表示画面１７０には、最上部にステータスバー１７１、その下にタイトル表示部１７２、さらにその下にゴルフバッグ名表示部１７３が表示され、それ以下には、ゴルフクラブごとの情報が表示されたゴルフクラブ情報表示部（１７４〜１７９）が示され、さらに最下部に、メニュー表示部１８０が表示されている。ゴルフクラブ情報表示画面１７０は、縦長の第一画面１８１とその右横に連結された縦長の第二画面１８２から構成されており、この画面は、タッチスクリーン６１上の表示領域を超えるものであって一度には表示できないが、スマートフォン７１のユーザは、タッチスクリーン６１上を上下左右にフリップする（指ではらう）ことにより、この画面を上下左右にスクロールして表示させることができる。ここでは、説明の便宜上、そのようにして表示されるゴルフクラブ情報表示画面１７０の縦横の全長を１画面として示した。なお、ゴルフクラブ情報表示部１７７とゴルフクラブ情報表示部１７８の間の表示は一部省略されている。【００８２】
ゴルフクラブ情報表示部１７４には、タイプ[Ｄｒｉｖｅｒ]のゴルフクラブについての詳細な情報が表示されている。これらの情報は、ゴルフクラブ管理部５２が、ゴルフクラブ情報テーブル５８ａとゴルフバッグ構成情報テーブル５８ｂとから情報を取得し、表示したものである。ヘッド画像１８３は、ゴルフクラブ情報テーブル５８ａのヘッド画像データ名を参照した後、その名称のファイルをヘッド画像データ５８ｄから取得し、表示したものである。以下同様に、タイプ[３Ｗ]のゴルフクラブやタイプ[５Ｗ]のゴルフクラブに関する詳細な情報が表示される。【００８３】
次に、図８を参照して、本発明の一実施形態に係るゴルフクラブ管理システム１のスマートフォン７１の表示装置に示されるゴルフクラブ詳細情報登録画面１９０の例について説明する。ゴルフクラブ詳細情報登録画面１９０は、図４のゴルフバッグ表示画面１１０で、個々のヘッド画像１１３をタップした場合や、図７のゴルフクラブ情報表示画面１７０で、個々のヘッド画像１８３をタップした場合に、対応するゴルフクラブについての当該画面が、ゴルフクラブ管理部５２によって表示される。縦長の画像で示されているのは、図６と同様の便宜上の理由である。【００８４】
ゴルフクラブ詳細情報登録画面１９０には、最上部にステータスバー１９１、その下にタイトル表示部１９２、さらにその下にゴルフバッグ名表示部１９３が表示され、ゴルフバッグ名表示部１９３の左端部には、完了アイコン１９４が表示されている。さらに、ゴルフバッグ名表示部１９３の下には、タイプ表示部１９５、ヘッド情報表示部１９６、シャフト情報表示部２０３、クラブ情報表示部２０４、および飛距離表示部２０５が表示される。こうしたゴルフクラブの詳細情報については、表示を一部を省略してもよいし、複数の画面（ページ）に分けて表示されるようにしてもよい。【００８５】
ゴルフクラブ管理部５２は、ゴルフクラブ詳細情報登録画面１９０を表示させる際に、ゴルフクラブ情報テーブル５８ａとゴルフバッグ構成情報テーブル５８ｂを参照して、指定されたゴルフバッグに対応するタイプのゴルフクラブが既に登録されているか否かを判断し、登録されていなければ、すべての項目に何も入力されていない新たな画面を表示し、登録されていれば、その情報を当該画面に表示する。したがって、ゴルフクラブ詳細情報登録画面１９０は、新規のゴルフクラブの詳細情報を登録する画面でもあるし、既存のゴルフクラブの詳細情報を表示・編集する画面でもある。【００８６】
ヘッド情報表示部１９６のカメラアイコン１９８をタップすると、画像撮像制御部５６がカメラモジュールを起動し、ゴルフクラブのヘッド部分を撮影する準備をする。ここで、ユーザがゴルフクラブのヘッド部分を撮影すると、そのイメージデータがヘッド画像データ５８ｄにそのまま（または編集・調整処理の後）記憶され、そのヘッド画像がヘッド画像表示部１９７に表示される。内臓カメラがない場合は、たとえば、ヘッド画像表示部１９７などをタップすることによって、ヘッド画像の取り込みメニューが表示され、そこで、ユーザがカメラで撮影しておいたヘッド画像、他のゴルフクラブに対応付けられているヘッド画像、または管理サーバ１０やその他のサーバで提供されているヘッド画像等を指定することにより、その指定されたヘッド画像がヘッド画像表示部１９７に表示される。表示に際しては、表示領域の大きさ等の状況に合わせてヘッド画像の編集・調整処理が行われる場合がある。【００８７】
ヘッド情報表示部１９６のブランド入力領域１９９およびモデル入力領域２００でユーザがソフトキー等を用いて入力を行い、その結果、すでにこのスマートフォン７１（または管理サーバ１０やその他のサーバ）に登録されているゴルフクラブであると判断されると、ゴルフクラブ管理部５２は、残りの情報については、ゴルフクラブ情報テーブル５８ａから取得し、各入力領域に自動的にセットする。【００８８】
ヘッド情報表示部１９６のブランド入力領域１９９の右端部にある参照アイコン２０１をタップすると、すでにこのスマートフォン７１に登録されているゴルフクラブのブランドがリスト表示され、ユーザは、このなかから１つを選択することができる。また、参照の対象を、管理サーバ１０やその他のサーバにまで広げることも可能である。また、随時更新されるブランドのテーブルを別途作成し、スマートフォン７１で記憶するようにしてもよい。まったく新しいブランドであれば、ユーザが新たに入力する。【００８９】
次に、ヘッド情報表示部１９６のモデル入力領域２００の右端部にある参照アイコン２０２をタップすると、既に選択しているブランドに属するモデルが検索され、リスト表示される。ユーザは、このなかから１つを選択することができる。また、参照の対象を、管理サーバ１０やその他のサーバにまで広げることも可能である。また、随時更新されるブランドとモデルのテーブルを別途作成し、スマートフォン７１で記憶するようにしてもよい。まったく新しいモデルであれば、ユーザが新たに入力する。【００９０】
上記と同様にして、ユーザは、ヘッド情報表示部１９６の残りの入力領域、シャフト情報表示部２０３、クラブ情報表示部２０４、および飛距離表示部２０５の各入力領域に必要な情報を入力する。【００９１】
入力が完了したら、ゴルフバッグ名表示部１９３の左端部にある完了アイコン１９４をタップする。そうすると、ゴルフクラブ管理部５２は、表示されている入力項目が更新されている場合、これらの情報でゴルフクラブ情報テーブル５８ａを更新し、ヘッド画像表示部１９７に変更がある場合は、ヘッド画像データ５８ｄを更新する。その後、ゴルフクラブ詳細情報登録画面１９０を呼び出した画面、すなわち、図４のゴルフバッグ表示画面１１０や図７のゴルフクラブ情報表示画面１７０に戻る。新たなゴルフクラブが登録された場合は、ゴルフクラブＮＯを新たに採番し、ゴルフクラブ情報テーブル５８ａに新規レコードを作成する。【００９２】
図４ないし図８の説明に関して、情報端末５０としてスマートフォン７１が使用されているものとして説明したが、これらは例示に過ぎず、本発明のゴルフクラブ管理システムは、携帯電話やＰＤＡ、ＰＣ７２といった他の情報端末５０でも実現可能である。たとえば、上記説明における「タップ」というユーザ操作は、携帯電話やＰＤＡでは決定ボタンの押下、ＰＣ７２ではマウスクリックやエンターキーの押下として実現されうる。また、「フリップ」というユーザ操作は、携帯電話やＰＤＡでは十字キーの上下左右を指定するボタンの押下、ＰＣ７２では所定領域のマウスクリックや矢印キーの押下などで実現されうる。また、スマートフォン７１では、タッチスクリーン６１に表示されるソフトキーにより文字列を入力することができるが、この操作は、携帯電話やＰＤＡでは十字キーの上下左右を指定するボタンと数字キーの押下、ＰＣ７２では、キーボードのキーの押下などで実現される。【００９３】
次に、図９ないし図１１を参照して、ゴルフバッグ表示制御部５４が、指定されたゴルフバッグに登録されたゴルフクラブを、図４に示すゴルフバッグ表示画面１１０のように表示するための制御について説明する。ゴルフバッグ表示制御部５４は、表示対象のゴルフクラブ（たとえば、指定されたゴルフバッグに登録されているゴルフクラブ）がそれぞれどのタイプであるかを判定するとともに、それらのタイプがどのタイプグループに属しており、最終的に、どのタイプグループに何本のゴルフクラブがあるか（タイプグループ分布パターン）を求める。そして、このタイプグループ分布パターンに応じて、どのゴルフクラブをどの位置に表示するかを決定する。【００９４】
図９は、図３Ｃに示したタイプグループテーブル５８ｃを詳細に示したものであり、タイプグループとタイプの関係が示されている。タイプグループは、前述のように、ゴルフクラブの目的や特性に応じて、少なくとも１つのタイプが属するように任意に設定される。図９Ａに示すパターン１のタイプグループテーブル５８ｃは、最も基本的なパターンである。たとえば、タイプグループ"ドライバー"には、タイプ[Ｄｒｉｖｅｒ]のみが属し、タイプグループ"フェアウエイウッド"には、[２Ｗ]〜[７Ｗ]、[９Ｗ]、[１１Ｗ]、および[１３Ｗ]の９つが属し、タイプグループ"パター"には、[ＰＴ]のみが属する。【００９５】
また、図９Ａの表示位置順序は、各タイプグループのゴルフクラブのヘッド画像を、表示装置上、どのような順序（高さ）で表示するかを示している。すなわち、図９Ａの場合、表示位置順序が高い（数字が小さいタイプグループが高い位置に表示される）タイプグループ"ドライバー"に属するゴルフクラブ（タイプ[Ｄｒｉｖｅｒ]のゴルフクラブ）のヘッド画像が最も上に表示され、次いで、タイプグループ"フェアウエイウッド"に属するゴルフクラブのヘッド画像、そして、最も下に表示されるのは、タイプグループ[パター]に属するゴルフクラブのヘッド画像となる。【００９６】
また、本発明の一実施形態に係る情報端末５０では、同じタイプグループのゴルフクラブのヘッド画像は、近接または重複した画像グループとしてまとめて表示装置上に表示されるが、より表示位置順序が高いタイプグループのヘッド画像の上端が、より表示位置順序の低いタイプグループのヘッド画像の上端より高いか、あるいは、より表示位置順序が高いタイプグループのヘッド画像の下端が、より表示位置順序の低いタイプグループのヘッド画像の上端より高いかのいずれかを満たすように配置される。このように規定するのは、タイプグループに属するゴルフクラブの本数が異なるため、画像グループとして表示したときに両者の大きさが異なり、表示位置順序が高いタイプグループのヘッド画像が、両端とも、より表示位置順序の低いタイプグループのヘッド画像より高いということができない場合があるからである。【００９７】
図９Ｂに示すパターン２のタイプグループテーブル５８ｃは、いくつかのタイプのパターを考慮したものである。この例では、パターン１での１つのタイプグループ"パター"を、３つのタイプグループ"パター"、"中尺パター"、"長尺パター"の３つで把握するようにした。このように、タイプグループの概念をどのように設定するかは、情報端末５０のユーザあるいは、ゴルフクラブ管理システム１の設計者によって適宜決定することができる。たとえば、図９Ａや図９Ｂの例では、"アイアン"は１つのタイプグループであるが、このグループを２つまたは３つのグループに分けて管理するようにしてもよい。【００９８】
図１０は、タイプグループの分布パターンに応じて、ゴルフバッグ表示画面１１０におけるゴルフクラブのヘッド画像の配置が変化する様子を示している。図１０は、図９のパターンＡのようにタイプグループを設定した場合の、異なる３つの分布パターンにおけるヘッド画像の配置を示したものである。【００９９】
図１０Ａは、タイプグループ"ドライバー"、"フェアウエイウッド"、"ユーティリティー"、"アイアン"、"ウエッジ"、"パター"に属するゴルフクラブの本数が、それぞれ、１本、２本、２本、６本、２本、１本である場合に、右に示すようなゴルフバッグ表示画面１１０ａになることが示されている。【０１００】
たとえば、表示領域２１１の位置に１本のドライバーのヘッド画像が示され、表示領域２１２の位置に２本のフェアウエイウッドのヘッド画像が近接または重複して表示され、表示領域２１３の位置に２本のユーティリティーのヘッド画像が近接または重複して表示され、表示領域２１４の位置に６本のアイアンのヘッド画像が近接または重複して表示され、表示領域２１５の位置に２本のウエッジのヘッド画像が近接または重複して表示され、表示領域２１６の位置に１本のパターのヘッド画像が表示される。表示の高さは、図９Ａに示したように、最も高い表示位置のタイプグループ"ドライバー"から、最も低い位置のタイプグループ"パター"までが順に表示される。なお、図１０では、各表示領域は説明を容易にするため、外周を点線で示してあるが、この点線は、表示装置上に実際には表示されない仮想的な線である。また、この例では、同じタイプグループ内のゴルフクラブは、同じヘッド画像が用いられているが、それぞれのゴルフクラブに対応した個々のヘッド画像が表示されてもよい。【０１０１】
同様に図１０Ｂでは、タイプグループ"ドライバー"、"フェアウエイウッド"、"ユーティリティー"、"アイアン"、"ウエッジ"、"パター"に属するゴルフクラブの本数が、それぞれ、１本、４本、０本、６本、２本、１本である場合に、右に示すようなゴルフバッグ表示画面１１０ｂになることが示されている。【０１０２】
たとえば、表示領域２２１の位置に１本のドライバーのヘッド画像が示され、表示領域２２２の位置に４本のフェアウエイウッドのヘッド画像が近接または重複して表示され、表示領域２２３の位置に６本のアイアンのヘッド画像が近接または重複して表示され、表示領域２２４の位置に２本のウエッジのヘッド画像が近接または重複して表示され、表示領域２２５の位置に１本のパターのヘッド画像が表示される。表示の高さも、図１０Ａと同様に、最も高い表示位置のタイプグループ"ドライバー"から、最も低い位置のタイプグループ"パター"までが順に表示される。【０１０３】
図１０Ｃも、図１０Ａ、図１０Ｂの場合とはタイプグループの分布が異なり、これに応じて上記とは異なる表示パターンでゴルフバッグ表示画面１１０ｃが示される。【０１０４】
たとえば、図１０Ｂに示すように、タイプグループの"アイアン"では、タイプ[１ｉ]から[ＰＷ]までの１０本のなかから６本が選ばれているが、その６本がどのアイアンであっても、図１０Ｂの右側に示すように、同じ表示領域２２３のなかに６つのヘッド画像が配置される。ただし、表示領域２２３のなかでのヘッド画像の表示順は、たとえば、クラブ長の長いゴルフクラブのヘッド画像が、より高い位置に表示されるように制御される。そうすると、図１０Ｂのゴルフバッグ表示画面１１０ｂでは、符号ｆのヘッド画像が、最もクラブ長の長いゴルフクラブのものであり、符号ａのヘッド画像が、最もクラブ長の短いゴルフクラブのものである。ここでは、同じ表示領域２２３のなかでの表示位置を、クラブ長を基準に決定したが、同一タイプグループ内での順序付けは必須のものではなく、ランダムな順序で表示することもできる。また、所定のタイプ順や使用頻度順など、他の基準を用いることもできる。また、このような表示制御方法は、他のタイプグループについても同様である。【０１０５】
この表示制御方法の例では、タイプグループ分布パターンごとに、表示させるヘッド画像のそれぞれの位置の座標が、前もって決定され保存される。たとえば、図１０Ｂのゴルフバッグ表示画面１１０ｂにある表示領域２２３に関しては、このなかの６つのヘッド画像（符号ａ〜符号ｆ）の表示位置について、ヘッド画像の左上端の座標がそれぞれ（６組）保持される。また、このような座標の組を、タイプグループ分布パターンおよびタイプグループに属するゴルフクラブの本数等に基づいて自動的に決定するように構成することもできる。【０１０６】
また、ヘッド画像の大きさもタイプグループ分布パターンに応じて前もって（タイプグループ分布パターンごとや表示する座標ごとに）規定しておくことができ、規定されたサイズに合わせて、表示の際、または前もってヘッド画像が縮小・拡大（縦横の大きさが調整）される。図１０のほとんどの表示領域に表示されているように、ヘッド画像が複数ある場合、近傍のヘッド画像と重なりを有するように配置されているが、必ずしも重なり合う必要はなく、表示領域２１３のようにヘッド画像のサイズや配置を調整する等して、少なくとも一部のヘッド画像について、重なりが無いように表示することもできる。【０１０７】
また、個々のヘッド画像は、（スマートフォン７１の使用では）タップすることにより、対応するゴルフクラブの詳細情報（図８に示すゴルフクラブ詳細情報登録画面１９０）が表示されるようになっている。したがって、他のヘッド画像と重ならないで表示されるヘッド画像の面積は、少なくとも、ユーザの指で操作できる程度の大きさを有しているように調整される。【０１０８】
また、ヘッド画像は、ゴルフバッグに収納されているような態様・位置関係で表示装置に表示されることから、垂直の位置関係だけでなく水平の位置関係についても調整が行われる。たとえば、表示領域の左端とヘッド画像の最左端との距離、および表示領域の右端とヘッド画像の最右端との距離を、所定の長さ以上にするよう調整する。また、ゴルフバッグ画像（図４のゴルフバッグ画像１１４）の左端と最も左に位置するヘッド画像の左端との距離、およびゴルフバッグ画像の右端と最も右に位置するヘッド画像の右端との距離を、所定の長さ以内にするよう調整する。【０１０９】
また、ゴルフバッグの表示をより現実に近付けるため、ゴルフバッグ表示画面のなかにゴルフクラブのシャフトをいくつかランダムに表示させることができる。図４のゴルフバッグ表示画面１１０には、背景に４本のシャフトが表示されている。さらにこのシャフトの表示を改良して、それぞれのヘッド画像の下部に表されるシャフト画像の端部に合わせて、これを延長するようにシャフトの続きを表示させるよう制御できる。【０１１０】
図１１は、図５のメニュー表示部１３９等で、「ゴルフバッグ表示」アイコンがタップされた際に、ゴルフバッグ表示制御部５４が実行する処理の概要を示すフローチャートである。最初に、ステップＳ１０で、ゴルフバッグ構成情報テーブル５８ｂを参照して、指定されたゴルフバッグに含まれるゴルフクラブを特定する。たとえば、この例では、各ゴルフクラブは、ゴルフバッグ構成情報テーブル５８ｂに記憶されているゴルフクラブＮＯで特定される。また、指定されたゴルフバッグとは、「ゴルフバッグ表示」アイコンがタップされた際に、指定されているゴルフバッグまたは表示対象となっていたゴルフバッグである。ここで、ゴルフバッグではなく、指定された複数のゴルフクラブを表示対象として特定することもできる。【０１１１】
次に、ステップＳ１２において、ゴルフクラブ情報テーブル５８ａを参照して、クラブ長やヘッド画像データ名など、各ゴルフクラブの情報を取得する。ここで、ゴルフクラブがどのタイプであるかを判定する必要があるが、この例のデータベース構造では、ステップＳ１０およびステップＳ１２のどちらからでも取得できる（すなわち、ステップＳ１０では、ゴルフバッグ構成情報テーブル５８ｂのエントリー位置から、ステップＳ１２では、ゴルフクラブ情報テーブル５８ａに含まれる項目「タイプ」から）。この後、ステップＳ１４において、それぞれのタイプが、どのタイプグループに属するかを、タイプグループテーブル５８ｃを参照して判定し、指定されたゴルフバッグに含まれるゴルフクラブが、タイプグループごとに何本あるか（タイプグループ分布パターン）を判定する。【０１１２】
ステップＳ１６において、タイプグループ分布パターンに応じて決められているゴルフクラブのヘッド画像に関する表示パターンを取得する。表示パターンには、タイプグループに含まれるゴルフクラブの本数に対応した個数の座標が含まれており、最終的に、各ゴルフクラブのヘッド画像の表示位置は、その座標に基づいて決定される。次に、ステップＳ１８において、同一タイプグループにおけるゴルフクラブのヘッド画像が、どの座標に基づいて表示されるかを、クラブ長をもとに決定する。この例では、表示座標を、クラブ長をもとに決定しているが、このような処理をスキップしてランダムに表示することもできる。また、クラブ長の代わりに、所定のタイプ順や使用頻度順などに基づいて表示座標を決定することもできる。【０１１３】
ステップＳ２０において、ステップＳ１２で取得した各ゴルフクラブのヘッド画像データ名を用いて、ヘッド画像データ５８ｄから対象となるヘッド画像を取得する。次に、ステップＳ２２において、決定された表示位置に、対応するゴルフクラブのヘッド画像を配置し、表示装置上に、図４に示すようなゴルフバッグ表示画面１１０が表示されるように制御する。【０１１４】
これまで、図面を参照しながら、本発明の一実施形態に係る情報端末５０の処理について説明してきたが、こうした構成や処理方法は一例に過ぎない。他の様々な構成および他の処理方法で、本発明と同様のアイデアを実施することができる。また、上記では、図３のゴルフクラブ情報テーブル５８ａやゴルフバッグ構成情報テーブル５８ｂのように、テーブル（データベース）構造でデータが記憶されているものとして説明したが、これは説明の便宜のために過ぎず、ＸＭＬのような構造化テキスト形式やＣＳＶ形式など、その他の既知のフォーマットでデータを記憶することができる。【０１１５】
次に、図１２を参照して、本発明の一実施形態に係る情報端末５０として用いられるスマートフォン７１のハードウエア構成の例について説明する。ただし、図１２のコンピュータ２５０は、スマートフォン７１として機能するコンピュータの代表的な構成を例示したにすぎない。【０１１６】
コンピュータ２５０は、ＣＰＵ（Central Processing Unit）２５１、メモリ２５２、カメラ２５３、ＧＰＳ制御部２５４、ＧＰＳ用アンテナ２５５、無線信号処理部２５６、無線通信用アンテナ２５７、オーディオ制御部２５８、マイクロフォン２５９、スピーカ２６０、ディスプレイ制御部２６１、入力機器インタフェース２６２、タッチスクリーン２６３、センサー２６４、外部記録媒体インタフェース２６５、およびこれらの構成要素を互いに接続するバス２６６を含んでいる。【０１１７】
ＣＰＵ２５１は、コンピュータ２５０の各構成要素の動作を制御し、ＯＳの制御下で、各機能を実行する。たとえば、ゴルフクラブ管理部５２、ゴルフバッグ管理部５３、ゴルフバッグ表示制御部５４等の処理を制御する。【０１１８】
メモリ２５２は通常、不揮発性メモリであるＲＯＭ（Read Only Memory）やフラッシュメモリと呼ばれる半導体メモリから構成される。ＲＯＭには、コンピュータ２５０の起動時に実行されるプログラム等が格納される。フラッシュメモリには、ＣＰＵ２５１で実行され各機能（ゴルフクラブ管理部５２等の機能）を実現するためのプログラムや、ゴルフクラブ情報テーブル５８ａなどのデータが格納される。【０１１９】
カメラ２５３は、コンピュータ２５０に内蔵される小型の撮像装置で、撮像素子がＣＣＤやＣＭＯＳといったタイプのものがある。カメラ２５３によって、静止画または動画を撮影する。画像撮像制御部５６によって撮影されたゴルフクラブのヘッド画像は、フラッシュメモリ内のヘッド画像データ５８ｄに記憶される。【０１２０】
ＧＰＳ制御部２５４は、ＧＰＳ用アンテナ２５５を介して、複数のＧＰＳから信号を受信し、コンピュータ２５０の位置を調べる。こうして求められた位置情報は、フラッシュメモリ等に記憶され、必要に応じてプログラムで利用される。無線信号処理部２５６は、無線通信用アンテナ２５７を介して携帯電話基地局と通信を行い、他の機器との間での通話データの送受信や、（インターネットを介した）他端末との間でのＷｅｂページやメールのデータの送受信を制御する。また、無線信号処理部２５６は、無線通信用アンテナ２５７を用いて無線ＬＡＮアクセスポイントとの間で無線ＬＡＮによる通信を実現し、インターネット経由のデータ送受信を行う（ここでは、便宜上、無線信号処理部２５６と無線通信用アンテナ２５７が、携帯電話基地局との間の無線通信および無線ＬＡＮアクセスポイントとの間の無線通信を行うものとした）。コンピュータ２５０は、無線信号処理部２５６および無線通信用アンテナ２５７を介して、図１に示す携帯電話網４０やネットワーク３０に接続される。【０１２１】
オーディオ制御部２５８は、マイクロフォン２５９とスピーカ２６０を制御して無線通信による通話を実現し、一方で、音楽プレイヤーや動画プレイヤーからの音声データを受信して音声を出力するよう制御する。【０１２２】
ディスプレイ制御部２６１は、ＣＰＵ２５１が発行する描画データを処理して、たとえば、ゴルフバッグ表示画面１１０のような画面をタッチスクリーン２６３の表示装置６１ａに出力する。入力機器インタフェース２６２は、タッチスクリーン２６３のタッチセンサー６１ｂが、ユーザによる操作を検知し、これを所定の信号としてＣＰＵ２５１に送信する。タッチスクリーン２６３は、たとえば、ＬＣＤ（Liquid Crystal Display）で構成される表示装置で情報を表示するとともに、ユーザが指などで画面表面を触った（押した）位置を、抵抗膜方式や静電容量方式などのタッチセンサーで検知する。【０１２３】
センサー２６４は、タッチスクリーン２６３のタッチセンサー６１ｂ以外のセンサーであり、モーションセンサー、光センサー、近接センサーなどがある。【０１２４】
外部記録媒体インタフェース２６５は、外部記録媒体２７０にアクセスして、そこに記録されているデータを読み取る。外部記録媒体２７０は、たとえば、可搬型のフラッシュメモリである。【０１２５】
図１２は、スマートフォン７１が情報端末５０として用いられた場合のコンピュータ２５０を示しているが、たとえば、携帯電話機やＰＤＡが情報端末５０として用いられた場合、コンピュータ２５０は、ディスプレイ制御部２６１には、ＬＣＤ等からなる表示装置が接続され、入力機器インタフェース２６２にはボタンが接続される。【０１２６】
また、一般的なＰＣ７２が情報端末５０として用いられた場合、コンピュータ２５０は、外部ネットワークに接続するためのネットワークインタフェースが追加され、ディスプレイ制御部２６１には、ＬＣＤ等からなる組み込み型または別筐体の表示装置が接続され、入力機器インタフェース２６２には、キーボードやマウスが接続される。カメラ２５３、ＧＰＳ制御部２５４、ＧＰＳ用アンテナ２５５、無線信号処理部２５６、および無線通信用アンテナ２５７は、このようなＰＣ７２の場合、通常は構成要素に含まれない。なお、図１に示す管理サーバ１０の構成は、基本的にこのようなＰＣ７２の構成と同様のものである。
【産業上の利用可能性】
【０１２７】
本発明に係る情報端末によって、ゴルフクラブについて詳細な情報およびゴルフクラブセッティングに関する情報が容易に管理できるため、これらの情報を様々な用途に利用することができる。また、ゴルフクラブに関する情報とゴルフクラブセッティングに関する情報を、ゴルフクラブの所有者であるユーザが随時自由に入力でき、さらに第三者からこれらの情報を取得することができる。
【図１】
2012091103.tif 000003
【図２】
2012091103.tif 000004
【図３】
2012091103.tif 000005
【図４】
2012091103.tif 000006
【図５】
2012091103.tif 000007
【図６】
2012091103.tif 000008
【図７】
2012091103.tif 000009
【図８】
2012091103.tif 000010
【図９】
2012091103.tif 000011
【図１０】
2012091103.tif 000012
【図１１】
2012091103.tif 000013
【図１２】
2012091103.tif 000014
【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
ゴルフクラブのタイプをゴルフクラブごとに記憶するとともに、ゴルフクラブのヘッド画像を記憶する記憶手段と、
前記ゴルフクラブを、当該ゴルフクラブの前記ヘッド画像または他のゴルフクラブの前記ヘッド画像と対応付けて管理するゴルフクラブ管理手段と、
表示対象である複数のゴルフクラブのそれぞれに対応付けられた前記ヘッド画像を、表示装置に表示するよう制御する表示制御手段を有し、
前記記憶手段には、ゴルフバッグにどのゴルフクラブが属するかを示す情報が記憶され、
前記表示制御手段は、
ユーザまたは所定の条件により特定されたゴルフバッグに属するゴルフクラブを表示対象として決定し、
それぞれ１つ以上の前記タイプが属するタイプグループのそれぞれに、前記表示対象である複数のゴルフクラブがいくつ属するかを表すタイプグループ分布パターンに基づいて、前記ヘッド画像の表示位置を決定し、
前記表示対象として決定された、複数のタイプグループに分布するゴルフクラブに対応付けられた前記ヘッド画像を同時に表示することを特徴とする情報端末。
【請求項２】
前記記憶手段には、前記ゴルフクラブごとに、前記ゴルフクラブの他の情報が記憶され、
前記表示装置に表示された前記ヘッド画像は、ユーザによって選択可能であり、
前記表示制御手段は、前記ヘッド画像の１つが選択された場合に、前記ヘッド画像に対応するゴルフクラブの前記他の情報の少なくとも一部を前記表示装置に表示することを特徴とする請求項１に記載の情報端末。
【請求項３】
前記表示制御手段は、同じタイプグループに属する前記ゴルフクラブのヘッド画像を互いに近接または重複させて、タイプグループごとにひとまとまりの画像グループで前記表示装置に表示することを特徴とする請求項１に記載の情報端末。
【請求項４】
前記画像グループの表示位置は、対応するタイプグループに応じてその高さが決定され、
（Ａ）高い位置に表示されると決定された画像グループの上端は、低い位置に表示されると決定された画像グループの上端より高い位置になるような関係、および、
（Ｂ）高い位置に表示されると決定された画像グループの下端は、低い位置に表示されると決定された画像グループの下端より高い位置になるような関係の、少なくともいずれかを満たすように調整されることを特徴とする請求項３に記載の情報端末。
【請求項５】
前記記憶手段には、ゴルフクラブに当該ゴルフクラブのクラブ長が記憶され、
前記表示制御手段は、前記画像グループごとに、画像グループに含まれるヘッド画像に対応するゴルフクラブの前記クラブ長を比較し、前記画像グループ内におけるそれぞれのヘッド画像の表示位置を、前記クラブ長が長いものほど高い位置になるよう調整することを特徴とする請求項４に記載の情報端末。
【請求項６】
外部ネットワークに接続してデータの送受信を制御する通信制御手段をさらに有し、
前記ゴルフクラブ管理手段が、ユーザの指示に応じて、前記ゴルフクラブのタイプおよび前記ゴルフクラブのヘッド画像の少なくとも一方を、前記外部ネットワークを経由して所定のサーバから取得することを特徴とする請求項１に記載の情報端末。
【請求項７】
情報を表示する表示装置と、ゴルフクラブのタイプをゴルフクラブごとに記憶するとともに、ゴルフクラブのヘッド画像を記憶した記憶手段を備えた情報端末において、
前記ゴルフクラブを、当該ゴルフクラブの前記ヘッド画像または他のゴルフクラブの前記ヘッド画像と対応付けて管理するゴルフクラブ管理ステップと、
表示対象である複数のゴルフクラブのそれぞれに対応付けられた前記ヘッド画像を、前記表示装置に表示するよう制御する表示制御ステップを有し、
前記記憶手段には、ゴルフバッグにどのゴルフクラブが属するかを示す情報が記憶され、
前記表示制御ステップは、
ユーザまたは所定の条件により特定されたゴルフバッグに属するゴルフクラブを表示対象として決定し、
それぞれ１つ以上の前記タイプが属するタイプグループのそれぞれに、前記表示対象である複数のゴルフクラブがいくつ属するかを表すタイプグループ分布パターンに基づいて、前記ヘッド画像の表示位置を決定し、
前記表示対象として決定された、複数のタイプグループに分布するゴルフクラブに対応付けられた前記ヘッド画像を同時に表示することを特徴とするゴルフクラブ管理方法。
【請求項８】
情報を表示する表示装置と、ゴルフクラブのタイプをゴルフクラブごとに記憶するとともに、ゴルフクラブのヘッド画像を記憶した記憶手段を備えた情報端末に、
前記ゴルフクラブを、当該ゴルフクラブの前記ヘッド画像または他のゴルフクラブの前記ヘッド画像と対応付けて管理するゴルフクラブ管理手段、および、
表示対象である複数のゴルフクラブのそれぞれに対応付けられた前記ヘッド画像を、前記表示装置に表示するよう制御する表示制御手段として機能させるためのプログラムであって、
前記記憶手段には、ゴルフバッグにどのゴルフクラブが属するかを示す情報が記憶され、
前記表示制御手段は、
ユーザまたは所定の条件により特定されたゴルフバッグに属するゴルフクラブを表示対象として決定し、
それぞれ１つ以上の前記タイプが属するタイプグループのそれぞれに、前記表示対象である複数のゴルフクラブがいくつ属するかを表すタイプグループ分布パターンに基づいて、前記ヘッド画像の表示位置を決定し、
前記表示対象として決定された、複数のタイプグループに分布するゴルフクラブに対応付けられた前記ヘッド画像を同時に表示することを特徴とするプログラム。
【手続補正２】
【補正対象書類名】明細書
【補正対象項目名】００１９
【補正方法】変更
【補正の内容】
【００１９】
本発明の第１の実施態様は、ゴルフクラブのタイプをゴルフクラブごとに記憶するとともに、ゴルフクラブのヘッド画像を記憶する記憶手段と、ゴルフクラブを、当該ゴルフクラブのヘッド画像または他のゴルフクラブのヘッド画像と対応付けて管理するゴルフクラブ管理手段と、表示対象である複数のゴルフクラブのそれぞれに対応付けられたヘッド画像を、表示装置に表示するよう制御する表示制御手段を有する情報端末であり、さらに、記憶手段には、ゴルフバッグにどのゴルフクラブが属するかを示す情報が記憶され、表示制御手段が、ユーザまたは所定の条件により特定されたゴルフバッグに属するゴルフクラブを表示対象として決定するとともに、それぞれ１つ以上のタイプが属するタイプグループのそれぞれに、表示対象である複数のゴルフクラブがいくつ属するかを表すタイプグループ分布パターンに基づいて、ヘッド画像の表示位置を決定し、前記表示対象として決定された、複数のタイプグループに分布するゴルフクラブに対応付けられた前記ヘッド画像を同時に表示するように構成される。このような情報端末の構成によって、複数のゴルフクラブによるゴルフクラブセッティングがグラフィカルにかつ、各ゴルフクラブがゴルフバッグに収納されているような態様で表示される。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
本発明の第２の実施態様は、第１の実施態様において、記憶手段には、ゴルフクラブごとに、ゴルフクラブの他の情報が記憶され、表示装置に表示されたヘッド画像は、ユーザによって選択可能であり、表示制御手段が、ヘッド画像の１つが選択された場合に、ヘッド画像に対応するゴルフクラブの他の情報の少なくとも一部を表示装置に表示するように構成された情報端末である。このような情報端末の構成によって、ゴルフクラブについて詳細な情報およびゴルフクラブセッティングに関する情報が容易に管理できる。
【手続補正５】
【補正対象書類名】明細書
【補正対象項目名】００２２
【補正方法】変更
【補正の内容】
【００２２】
本発明の第３の実施態様は、第１の実施態様において、表示制御手段が、同じタイプグループに属するゴルフクラブのヘッド画像を互いに近接または重複させて、タイプグループごとにひとまとまりの画像グループで表示装置に表示するように構成された情報端末である。
【手続補正６】
【補正対象書類名】明細書
【補正対象項目名】００２３
【補正方法】変更
【補正の内容】
【００２３】
本発明の第４の実施態様は、第３の実施態様において、画像グループの表示位置は、対応するタイプグループに応じてその高さが決定され、（Ａ）高い位置に表示されると決定された画像グループの上端は、低い位置に表示されると決定された画像グループの上端より高い位置になるような関係、および、（Ｂ）高い位置に表示されると決定された画像グループの下端は、低い位置に表示されると決定された画像グループの下端より高い位置になるような関係の、少なくともいずれかを満たすように調整されるように構成された情報端末である。
【手続補正７】
【補正対象書類名】明細書
【補正対象項目名】００２４
【補正方法】変更
【補正の内容】
【００２４】
本発明の第５の実施態様は、第４の実施態様において、記憶手段には、ゴルフクラブに当該ゴルフクラブのクラブ長が記憶され、表示制御手段が、画像グループごとに、画像グループに含まれるヘッド画像に対応するゴルフクラブのクラブ長を比較し、画像グループ内におけるそれぞれのヘッド画像の表示位置を、クラブ長が長いものほど高い位置になるよう調整するように構成された情報端末である。
【手続補正８】
【補正対象書類名】明細書
【補正対象項目名】００２５
【補正方法】変更
【補正の内容】
【００２５】
本発明の第６の実施態様は、第１の実施態様において、外部ネットワークに接続してデータの送受信を制御する通信制御手段をさらに有し、ゴルフクラブ管理手段が、ユーザの指示に応じて、ゴルフクラブのタイプおよびゴルフクラブのヘッド画像の少なくとも一方を、外部ネットワークを経由して所定のサーバから取得するように構成された情報端末である。
【手続補正９】
【補正対象書類名】明細書
【補正対象項目名】００２６
【補正方法】変更
【補正の内容】
【００２６】
本発明の第７の実施態様は、情報を表示する表示装置と、ゴルフクラブのタイプをゴルフクラブごとに記憶するとともに、ゴルフクラブのヘッド画像を記憶した記憶手段を備えた情報端末において、ゴルフクラブを、当該ゴルフクラブのヘッド画像または他のゴルフクラブのヘッド画像と対応付けて管理するゴルフクラブ管理ステップと、表示対象である複数のゴルフクラブのそれぞれに対応付けられたヘッド画像を、表示装置に表示するよう制御する表示制御ステップを有するゴルフクラブ管理方法であり、さらに、記憶手段には、ゴルフバッグにどのゴルフクラブが属するかを示す情報が記憶され、表示制御ステップが、ユーザまたは所定の条件により特定されたゴルフバッグに属するゴルフクラブを表示対象として決定するとともに、それぞれ１つ以上のタイプが属するタイプグループのそれぞれに、表示対象である複数のゴルフクラブがいくつ属するかを表すタイプグループ分布パターンに基づいて、ヘッド画像の表示位置を決定し、前記表示対象として決定された、複数のタイプグループに分布するゴルフクラブに対応付けられた前記ヘッド画像を同時に表示するよう構成される。
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】変更
【補正の内容】
【００２８】
本発明の第８の実施態様は、情報を表示する表示装置と、ゴルフクラブのタイプをゴルフクラブごとに記憶するとともに、ゴルフクラブのヘッド画像を記憶した記憶手段を備えた情報端末に、ゴルフクラブを、当該ゴルフクラブのヘッド画像または他のゴルフクラブのヘッド画像と対応付けて管理するゴルフクラブ管理手段、および、表示対象である複数のゴルフクラブのそれぞれに対応付けられたヘッド画像を、表示装置に表示するよう制御する表示制御手段として機能させるためのプログラムであり、さらに、記憶手段には、ゴルフバッグにどのゴルフクラブが属するかを示す情報が記憶され、表示制御手段が、ユーザまたは所定の条件により特定されたゴルフバッグに属するゴルフクラブを表示対象として決定するとともに、それぞれ１つ以上のタイプが属するタイプグループのそれぞれに、表示対象である複数のゴルフクラブがいくつ属するかを表すタイプグループ分布パターンに基づいて、ヘッド画像の表示位置を決定し、前記表示対象として決定された、複数のタイプグループに分布するゴルフクラブに対応付けられた前記ヘッド画像を同時に表示するように構成される。
【手続補正１２】
【補正対象書類名】明細書
【補正対象項目名】００２９
【補正方法】削除
【補正の内容】
【国際調査報告】
2012091103.tif 000015
2012091103.tif 000016
2012091103.tif 000017
2012091103.tif 000018